(57)【要約】【課題】  出かける前に行き先及び帰宅時間の天気情報をテレビ／ラジオなどで事前に取得していないと  傘を持っていくか悩む。【解決手段】  自宅地域のアメダス情報と行き先地域のアメダス情報をもとに  降水確率を認識し  雨傘の必要の有無を判断し表示すること特徴とする雨傘である。現在位置及び行き先についての位置情報についてはＩＣ内蔵定期券から乗り降りする駅名コードを取得し、駅の住所より乗車地域（自宅地域）及び降車地域（行き先地域）の位置情報を取得する。この位置情報をもとにそれぞれの地域のアメダス情報を取得し  雨傘の必要の有無を表示する。出かける前にテレビ／ラジオなどで事前に行き先及び帰宅時間の天気情報を取得することなく、玄関先で雨傘を持っていく必要があるか判断できる。【選択図】  図１
2005095350.tif 000002
【特許請求の範囲】
【請求項１】
ＩＣ内蔵定期券または磁気式乗車券から乗車地域及び降車地域の位置情報を取得することを特徴とするアメダス連動式雨傘。
【請求項２】
乗車地域のアメダス情報と降車地域のアメダス情報をもとに降水確率を認識し  雨傘の必要の有無を判断し表示することを特徴とするアメダス連動式雨傘。
【請求項３】
位置情報は任意に指定可能とすることを特徴とするアメダス連動式雨傘。
【発明の詳細な説明】
【技術分野】
【０００１】
本発明はＩＣ内蔵定期券から駅名コードを入手し駅名コードから位置情報を取得し、その位置情報から天気情報を取得し雨傘の必要の有無を判断し、雨傘に表示するシステムに関するものである。
【背景技術】
【０００２】
特許文献１に記載のように  天気情報は表示するが、傘を持っていく必要があるかどうかの判断はおこなわなかった。また  日常の生活の中ではテレビやラジオなどの事前の情報をもとに天気を予想し傘をもっていくか判断する必要がある。
【０００３】
【特許文献１】特開２００２−１３１０６４号公報
【発明の開示】
【発明が解決しようとする課題】
【０００４】
上記従来の技術はテレビやラジオなどの事前の天気情報をもとに現在位置と行き先の帰宅時間の天気を人間の判断で予想し、傘をもっていくか判断する必要があった。
【課題を解決するための手段】
【０００５】
上記問題を解決するため下記の方法で自宅地域のアメダス情報と行き先地域のアメダス情報をもとに降水確率を認識し  雨傘の必要の有無を判断し表示することを特徴とする雨傘である。
【０００６】
現在位置及び行き先についての位置情報についてはＩＣ内蔵定期券から乗り降りする駅名コードを取得し、駅の住所より乗車地域（自宅地域）及び降車地域（行き先地域）の位置情報を取得する。この位置情報をもとにそれぞれの地域のアメダス情報を取得し  雨傘の必要の有無を表示する。
【発明の効果】
【０００７】
出かける前にテレビ／ラジオなどで事前に行き先及び帰宅時間の天気情報を取得することなく、玄関先で雨傘を持っていく必要があるか判断できる。また、ＩＣ内蔵定期券から乗降駅の情報を入手することで位置情報の入力を簡易化できる。
【発明を実施するための最良の形態】
【０００８】
本発明の実施例について図面を用いて説明する。
【０００９】
図１は本発明の外観と関連するＧＰＳ衛星１０７、基地局１０８、磁気式乗車券１０９、ＩＣ内蔵定期券１１０との関連を示す。本発明は接触センサ１０１、発光部１０２、表示部１０３、非接触センサ１０４、操作部１０５、アンテナ１０６を装備する。
【００１０】
図２は本発明の上部を拡大し各部を説明した図である。内蔵コンピュータ２０１は本発明を制御し傘に内蔵される。接触センサ１０１は磁気式乗車券１０９を接触させることで乗り降りする駅名コード４０１を取得し記憶部３０６に格納する。発光部１０２は制御部３０１の命令にもとづき赤色、黄色、青色に発光する。表示部１０３は操作部１０５の操作結果を表示する。非接触センサ１０４は、ＩＣ内蔵定期券１１０を近づけることで乗り降りする駅名コード４０１を取得し記憶部３０６に格納する。操作部１０５は本発明の記憶部３０６のデータを表示する場合に回転かつ上下の動作によりデータ表示を可能とする。アンテナ１０６はＧＰＳ衛星１０７及び基地局１０８とのデータの入出力部分である。
【００１１】
図３は、本発明の内部ブロック図である。内部ブロックは各ブロックを制御する制御部３０１、制御部３０１を操作する操作部３０２、磁気式乗車券１０９を接触させることで乗り降りする駅名コード４０１を取得する接触センサ部３０３、ＩＣ内蔵定期券１１０を近づけることで乗り降りする駅名コード４０１を取得する非接触センサ部３０４、ＧＰＳ衛星１０７及び基地局１０８とのデータの入出力をおこなうアンテナ部３０５、データを格納する記憶部３０６、操作部３０２の操作により制御部３０１の結果を表示する表示部３０７、制御部３０１の処理結果を示す発光部３０８、ＧＰＳ衛星１０７からの電波を処理し現在位置を計算するＧＰＳ受信処理部３０９から構成される。
【００１２】
図４は本発明が磁気式乗車券１０９、ＩＣ内蔵定期券１１０から取得し記憶部３０６に格納する駅名コード４０１の構造図である。
【００１３】
図５は記憶部３０６に格納されている駅の位置情報を取得するための位置情報取得ＵＲＬ５０１、現在の位置情報を取得するための位置情報取得ＵＲＬ５０２の構造図である。
【００１４】
図６は記憶部３０６に格納される記憶部データ（位置情報データ）６０１の構造図である。
【００１５】
図７は記憶部３０６に格納されている都道府県市町村の天気情報取得ＵＲＬ７０１の構造図である。
【００１６】
図８は乗車地域（自宅地域）のアメダスデータ８０１及び降車地域（行き先地域）のアメダスデータ８０２の構造図である。
【００１７】
図９は本発明が装備する表示部１０３のメインメニュー画面９０１の図である。メインメニュー画面９０１は現在位置９０２、日付指定９０３、登録情報自宅地域９０４、登録情報行き先地域９０５、終了９０６を表示する。
【００１８】
図１０は図１に示す本発明の一実施形態を示すフローチャートである。
【００１９】
図１１、図１２は図１に示す本発明の操作部１０５を利用した一実施形態を示すフローチャートである。
【実施例１】
【００２０】
ＩＣ内蔵定期券から乗車地域（自宅地域）及び降車地域（行き先地域）の位置情報を取得し、アメダス情報をもとに雨傘の必要の有無を表示する実施例
日々よく利用する位置情報を指定するため  ＩＣ内蔵定期券を非接触センサ１０４に近づけ（１００１）乗降駅の駅名コード４０１を非接触センサ１０４より取得し記憶部３０６の位置情報データ６０１の駅名コード欄に格納する。（１００２）。記憶部３０６に格納された駅名コード４０１を検索キーとしてアンテナ１０６より基地局１０８を利用して駅の位置情報取得ＵＲＬ５０１にアクセスし乗車地域（自宅地域）及び降車地域（行き先地域）の位置情報をインタネット上の駅情報データベースより取得し駅名と住所を記憶部３０６の位置情報データ６０１の駅名、住所の欄に格納する（１００３）。
【００２１】
乗車地域（自宅地域）及び降車地域（行き先地域）の位置情報データ（６０１）の住所をキーに記憶部３０６から地域天気情報ＵＲＬ７０１を取得する（１００４）。地域天気情報ＵＲＬをもとにアンテナ１０６から基地局１０８を経由してインタネットに接続し乗車地域（自宅地域）のアメダス情報８０１及び降車地域（行き先地域）のアメダス情報８０２を取得し記憶部３０６に格納する（１００５）。取得した本日の乗車地域（自宅地域）のアメダス情報７０１及び降車地域（行き先地域）のアメダス情報７０２の降水確率を制御部３０１で以下に示すように処理する。乗車地域（自宅地域）及び降車地域（行き先地域）両方の地域の降水確率が０％（１００６）のときは青色（１００７）、乗車地域及び降車地域どちらかの降水確率が１０％〜５０％（１００８）のときは黄色（１００９）、それ以外のときは赤色（１０１０）に発光部１０２を発光させ利用者に雨傘の必要の有無を認識させる。
【実施例２】
【００２２】
任意の位置情報を指定可能とする実施例
ＩＣ内蔵定期券を持っていない場合、または  任意で行き先や日付を指定する場合はダイヤル式となっている操作部１０５を使い、行き先の地域や日付を指定する。操作部１０５は回転式であり、操作部１０５を回転させることで表示部１０３のメインメニュー画面９０１の表示内容を変化させ大項目を選ぶ（１１０１）。操作部１０５を下げ大項目を決定する（１１０２）。操作を終了する場合は終了９０６を選び操作を終了する（１１０３）。大項目を現在位置９０２に指定した場合（１２０１）、アンテナ１０６はＧＰＳ衛星１０７からの電波を受信しＧＰＳ受信処理部３０９で現在の緯度経度を計算する。計算した緯度経度をキーにして位置情報取得ＵＲＬ５０２にアクセスし現在位置住所を位置情報データ６０１の住所に格納する（１２０２）。大項目を日付指定９０３に指定した場合（１２０３）、本日の日付が標準で表示される。日付を変更する場合は操作部１０５を操作して日付を決定する（１２０４）。大項目を登録情報自宅地域９０４に指定した場合（１２０５）、記憶部３０６の位置情報データ６０１の任意の住所を操作部１０５の操作により指定する（１２０６）。次に大項目、登録情報行き先地域９０５に指定し（１２０７）、記憶部３０６の位置情報データ６０１の任意の住所を操作部１０５の操作により指定する（１２０８）。大項目９０６を指定した場合、操作を終了する（１２０９）。  また、ＩＣ化されていない磁気式乗車券などは接触センサ１０１より駅情報を読み取る。
【図面の簡単な説明】
【００２３】
【図１】本発明の図である。
【図２】本発明の上部の拡大図である。
【図３】本発明の内部ブロック図である。
【図４】読み取りデータ構造図である。
【図５】記憶部データ（位置情報取得ＵＲＬ）構造図である。
【図６】記憶部データ（位置情報データ）構造図である。
【図７】記憶部データ（地域天気情報取得ＵＲＬ）構造図である。
【図８】アメダスデータ構造図である。
【図９】メインメニュー画面の図である。
【図１０】一実施形態を示すフローチャートである。
【図１１】操作部１０５を利用した一実施形態を示すフローチャートである。
【図１２】操作部１０５を利用した一実施形態を示すフローチャートである。
【符号の説明】
【００２４】
１０１：磁気センサ部、１０２：発光部、１０３：表示部、１０４：センサ部、
１０５：操作部、１０６：アンテナ、１０７：ＧＰＳ衛星、１０８：基地局、
１０９：磁気式乗車券、１１０：ＩＣ内蔵定期券、２０１：内蔵コンピュータ、
３０１：制御部、３０２：操作部、３０３：接触センサ部、３０４：非接触センサ部、
３０５：アンテナ部、３０６：記憶部、３０７：表示部、３０８：発光部、
３０９：ＧＰＳ受信処理部
【図１】
2005095350.tif 000003
【図２】
2005095350.tif 000004
【図３】
2005095350.tif 000005
【図４】
2005095350.tif 000006
【図５】
2005095350.tif 000007
【図６】
2005095350.tif 000008
【図７】
2005095350.tif 000009
【図８】
2005095350.tif 000010
【図９】
2005095350.tif 000011
【図１０】
2005095350.tif 000012
【図１１】
2005095350.tif 000013
【図１２】
2005095350.tif 000014